(57)【特許請求の範囲】
【請求項１】
相手側コネクタと、この相手側コネクタに設けられた嵌合凹部の内部に上方から嵌合可能に設けられその嵌合方向とは交差する方向に電線が引き出されたコネクタとの間における嵌合検知構造であって、
前記電線の端末に接続された上段側の端子金具および下段側の端子金具と、
前記上段側の端子金具を収容する上段側のキャビティと前記下段側の端子金具を収容する下段側のキャビティとが形成された端子収容部が備えられ、かつ、前記上段側のキャビティと前記下段側のキャビティとを仕切る隔壁が備えられたハウジングとを備え、
前記嵌合凹部および前記ハウジングにおいて前記嵌合方向に互いに対向する面をそれぞれ嵌合面とした場合に、この嵌合面は、前記嵌合方向に延びる段差面を境界として上下二段に分割されており、
上下一対の前記端子金具は、いずれも同一形状であり、
前記端子金具は全体としてＬ字状をなし、前記嵌合方向に延びる接続部と、前記電線の引き出し方向に延びるバレル部と、からなるＬ字端子とされており、
前記上下一対の端子金具から引き出された各電線の引き出し方向は、いずれも同一方向であり、
前記上下一対の端子金具は、前記各電線が前記嵌合方向に積層して配置されるようにして上下一対の前記キャビティに収容されており、
前記上段側のキャビティは上方に開口する形態とされ、この開口を塞ぐ板状のカバーが装着されるようになっており、前記上段側のキャビティを構成する一対の側壁が前記隔壁の両側縁から上方に立ち上がるものとされていることを特徴とする嵌合検知構造。
【請求項２】
前記隔壁は、ヒンジを介して前記端子収容部に連結されていることを特徴とする請求項１に記載の嵌合検知構造。
【請求項３】
前記嵌合凹部および前記ハウジングにおいて前記段差面に連なる側壁部には、嵌合初期における嵌合の案内を行うガイド部がそれぞれ設けられていることを特徴とする請求項１または請求項２に記載の嵌合検知構造。
【発明の詳細な説明】
【技術分野】
【０００１】
本発明は、嵌合検知構造に関する。
【背景技術】
【０００２】
従来、複数の端子金具が内部に収容されたハウジングを有し、相手側コネクタと嵌合可能なコネクタとして、例えば下記特許文献１に記載のものが知られている。ハウジングの両側部には、一対のガイドリブが設けられており、相手側ハウジングには、一対のガイドリブが挿入される一対のガイド凹部が設けられている。両コネクタの嵌合に際しては、両ガイドリブが両ガイド凹部に挿入されることで、両コネクタの誤嵌合が規制されるようになっている。
【先行技術文献】
【特許文献】
【０００３】
【特許文献１】特開２００５−２４３６０６号公報
【発明の概要】
【発明が解決しようとする課題】
【０００４】
しかしながら、上記のコネクタでは、両ガイドリブが両ガイド凹部に挿入されることをもって両コネクタの誤嵌合が規制されるようになっているため、両コネクタの嵌合前の状態では正規の嵌合姿勢を視覚的に知ることができない。換言すると、両コネクタを嵌合させてみて、初めて誤嵌合かどうかが判断できるようになっており、誤嵌合であった場合には、再度、両コネクタの嵌合動作を行う必要があることから、両コネクタを一回で正規に嵌合させることができなかった。
【０００５】
本発明は上記のような事情に基づいて完成されたものであって、両コネクタの誤嵌合検知を視覚的に行うことを目的とする。
【課題を解決するための手段】
【０００６】
本明細書によって開示される技術は、相手側コネクタと、この相手側コネクタに設けられた嵌合凹部の内部に嵌合可能に設けられその嵌合方向とは交差する方向に電線が引き出されたコネクタとの間における嵌合検知構造であって、電線の端末に接続された複数の端子金具と、複数の端子金具を内部に収容したハウジングとを備え、嵌合凹部およびハウジングにおいて嵌合方向に互いに対向する面をそれぞれ嵌合面とした場合に、この嵌合面は、嵌合方向に延びる段差面を境界として二段に分割されている構成としたところに特徴を有する。
【０００７】
このような構成によると、嵌合面が段差面を境界として二段に分割されているため、嵌合面の段差形状を視認するだけで正規の嵌合姿勢を知ることができる。したがって、両コネクタの誤嵌合検知を視覚的に行うことができ、両コネクタを一回で正規に嵌合させることができる。
【０００８】
本明細書によって開示される技術の実施の態様として、以下の構成が好ましい。
複数の端子金具は、いずれも同一形状である構成としてもよい。
このような構成によると、１種類の端子金具を準備すればよく、部品の種類を削減できる。
【０００９】
端子金具は全体としてＬ字状をなし、嵌合方向に延びる接続部と、電線の引き出し方向に延びるバレル部と、からなるＬ字端子とされている構成としてもよい。
このような構成によると、電線を曲げる必要がなく、Ｌ字端子における接続部とバレル部との間を曲げれば済むため、曲げＲを小さくすることができる。
【００１０】
複数の端子金具から引き出された各電線の引き出し方向は、いずれも同一方向である構成としてもよい。
このような構成によると、各電線の引き出し方向がいずれも同一方向であるため、複数の電線を一箇所に集約することができる。
【００１１】
複数の端子金具は、各電線が嵌合方向に積層して配置されるようにしてハウジングの内部に収容されている構成としてもよい。
このような構成によると、各電線が幅方向（嵌合方向と直交する方向）に並ぶように複数の端子金具を配置しなくてもよく、各電線が嵌合方向に積層して配置されるようにして複数の端子金具をハウジングの内部に収容することができるため、ハウジングの幅方向の寸法を小さくすることができる。したがって、相手側コネクタの幅方向の寸法を大型化させなくてもよい。
【００１２】
ハウジングは、各端子金具を収容する複数のキャビティを有しており、各キャビティを仕切る隔壁は、ヒンジを介してハウジングに連結されている構成としてもよい。
このような構成によると、隔壁によって隣り合う一対の端子金具を確実に絶縁することができる。また、隔壁がヒンジを介してハウジングに連結されているため、隔壁の組み付け作業を容易に行うことができる。
【００１３】
嵌合凹部およびハウジングにおいて段差面に連なる側壁部には、嵌合初期における嵌合の案内を行うガイド部がそれぞれ設けられている構成としてもよい。
このような構成によると、嵌合初期においても、互いのガイド部によって嵌合の案内をすることができる。
【発明の効果】
【００１４】
本発明によれば、両コネクタの誤嵌合検知を視覚的に行うことができる。
【図面の簡単な説明】
【００１５】
【図１】実施形態における電源側コネクタが電気接続箱に接続された状態を示す斜視図
【図２】第１端子金具を第１キャビティに挿入する前の状態を示した斜視図
【図３】第２端子金具を第２キャビティに挿入する前の状態を示した斜視図
【図４】ハウジングにカバーを装着する前の状態を示した斜視図
【図５】ハウジングにカバーを装着して第２キャビティを閉じた状態を示した斜視図
【図６】電源側コネクタの底面図
【図７】電源側コネクタの正面図
【図８】電源側コネクタの平面図
【図９】電源側コネクタの左側面図
【図１０】電源側コネクタの右側面図
【図１１】図８におけるＡ−Ａ線断面図
【図１２】電源側コネクタをケース側コネクタに嵌合させる前の状態を示した断面図
【図１３】電源側コネクタをケース側コネクタに嵌合させた後の状態を示した断面図
【図１４】ケース側コネクタの平面図
【図１５】ハウジングの正面図
【図１６】第１端子金具を第１キャビティに挿入した後の状態を示した平面図
【図１７】カバーの平面図
【図１８】カバーの底面図
【図１９】カバーの左側面図
【発明を実施するための形態】
【００１６】
＜実施形態＞
本発明の実施形態を図１ないし図１９の図面を参照しながら説明する。本実施形態における電源側コネクタ（本発明の「コネクタ」の一例）１０は、図１に示すように、略箱形をなす電気接続箱５０に接続されるコネクタであって、バッテリ（図示せず）から連なる電線Ｗの端末に接続されている。この電気接続箱５０は、車両においてバッテリから供給される電力を種々の車両用電装品に分配・供給するとともに、これら電力供給の切り替え等の制御を行う機能を有している。
【００１７】
電気接続箱５０は、入力側コネクタ（本発明の「相手側コネクタ」の一例）５１、複数のリレー装着部５２、ヒューズ装着部５３、出力側コネクタ５４などを一体に形成したものであって、車体に取り付け固定されるようになっている。入力側コネクタ５１には、電源側コネクタ１０が嵌合している。また、各リレー装着部５２には、リレー６０がそれぞれ接続されている。また、ヒューズ装着部５３には、ヒューズ６１が接続されている。なお、図示はしないものの、出力側コネクタ５４には、各車両用電装品に連なる機器側コネクタが嵌合するようになっており、これにより各車両用電装品によって規定された所定の電力が各車両用電装品に供給される。
【００１８】
まず、入力側コネクタ５１の構成について説明する。入力側コネクタ５１は、図１２に示すように、上方に開口する形態をなす嵌合凹部５５を有している。嵌合凹部５５の奥面（下面）は、段差状とされている。嵌合凹部５５の奥面には、平板状をなす一対のタブ端子が上方に突出する形態で設けられている。両タブ端子の一方は、上段側の奥面５５Ｕから上方に突出してなる上段側端子５６とされ、同他方は、下段側の奥面５５Ｌから上方に突出してなる下段側端子５７とされている。上段側の奥面５５Ｕと下段側の奥面５５Ｌは、段差面５５Ｃを介して段差状に連なる形態とされている。なお、両奥面５５Ｕ，５５Ｌによって、本発明における嵌合凹部５５側の嵌合面が構成され、この嵌合面は、段差面５５Ｃを境界として上下二段に分割されている。
【００１９】
嵌合凹部５５における上段側の奥面５５Ｕの下方には、電流センサ５８が収容されている。この電流センサ５８は、バッテリを電源とした電源回路に対して電気的に接続され、その電源回路に流れる電流を検出してバッテリの消耗度などを検知するためのものである。本実施形態では嵌合凹部５５に電流センサ５８が配置されたことに起因して、段差面５５Ｃが形成されている。
【００２０】
嵌合凹部５５の内面のうち上段側の奥面５５Ｕの周縁から上方に立ち上がる面には、ロック突起５９が設けられている。このロック突起５９は、図１４に示すように、嵌合凹部５５の内面のうち前側の壁部５５Ａに設けられている。ロック突起５９の下側には、図１２に示すように、前側の壁部５５Ａを板厚方向に貫通するロック孔５９Ａが連設されている。このロック孔５９Ａに後述する係止突起２９が嵌り込んでロック突起５９と係止することで、両コネクタ１０，５１が嵌合状態に保持されるようになっている。
【００２１】
一方、嵌合凹部５５の内面において左右方向に対向して配置された左右一対の壁部５５Ｂ，５５Ｂには、それぞれガイドリブ６２が設けられている。左右両側の壁部５５Ｂ，５５Ｂは、前側の壁部５５Ａの左右両側に連結されている。左右両側の壁部５５Ｂ，５５Ｂに配されたガイドリブ６２は、左右方向に対向状態で配されている。
【００２２】
各壁部５５Ｂ，５５Ｂには、前後方向に並設された一対のガイドリブ６２，６２がそれぞれ配されている。両ガイドリブ６２，６２は、いずれも上段側の奥面５５Ｕの周縁から上方に延び、嵌合凹部５５の上端開口縁にほぼ至る形態とされている。また、図１４に示すように、両ガイドリブ６２，６２の一方は、上段側端子５６の近傍に配されており、同他方は、嵌合凹部５５の段差面５５Ｃと対応する位置に配されている。
【００２３】
また、嵌合凹部５５の内面のうち下段側の奥面５５Ｌの周縁から上方に立ち上がる面（段差面５５Ｃに連なる側面）である左右両側の壁部５５Ｂ，５５Ｂには、左右一対のガイド溝６３，６３が設けられている。ガイド溝６３は、下段側の奥面５５Ｌの周縁から上方に延び、嵌合凹部５５の上端開口縁にほぼ至る形態とされている。両ガイド溝６３は、左右方向に対向状態で配されている。また、ガイド溝６３は、下段側端子５７と対応する位置に配されている。
【００２４】
次に、電源側コネクタ１０の構成について説明する。電源側コネクタ１０は、図１５および図１６に示すように、合成樹脂製のハウジング２０を有している。このハウジング２０は、図１５に示すように、一対の端子金具３０を内部に収容する一対のキャビティＣ，Ｃが形成された端子収容部２１と、各キャビティＣ，Ｃを仕切る絶縁性の隔壁２２と、この隔壁２２を端子収容部２１に連結する可撓性のヒンジ２３とを備えて構成されている。
【００２５】
端子金具３０は、図２に示すように、導電性の金属平板をプレス加工することによって形成されている。この端子金具３０は全体として略Ｌ字状をなすＬ字端子であって、入力側コネクタ５１の端子５６，５７と接続可能な接続部３１と、電線Ｗの端末に接続されるバレル部３２と、接続部３１とバレル部３２を連結する連結部３３とを備えて構成されている。端子金具３０は、連結部３３において略Ｌ字状に直角曲げされている。
【００２６】
接続部３１は横長方形の角筒状をなし、その内部には、図１１に示すように、弾性接触片３４が設けられている。この弾性接触片３４は、接続部３１の前縁から後方へ折り返されることで略山形をなして後方に延出されている。接続部３１において弾性接触片３４と対向する位置には、一対の接触突部３５，３５が設けられている。端子金具３０を入力側コネクタ５１の端子５６，５７に接続させると、端子５６，５７が弾性接触片３４と両接触突部３５，３５との間に弾性的に挟持されることで、端子金具３０と入力側コネクタ５１の端子５６，５７とが導通可能に接続される。また、連結部３３の水平部分における左右両側縁には、一対の抜止片３６，３６が左右両側に張り出し形成されている。
【００２７】
前記した一対のキャビティＣ，Ｃは、図１１に示すように、一対の端子金具３０を上下方向に積層した状態で収容するための上段側キャビティＣおよび下段側キャビティＣからなる。これら上段側および下段側キャビティＣは、垂直方向（上下方向）に延びる垂直部分Ｃ１と、この垂直部分Ｃ１の上端部から水平方向（後方）に延びる水平部分Ｃ２とからなる。垂直部分Ｃ１には、接続部３１および連結部３３の垂直部分が収容され、水平部分Ｃ２には、連結部３３の水平部分およびバレル部３２が収容される。
【００２８】
垂直部分Ｃ１には、ランス２４が設けられており、このランス２４が接続部３１に設けられたランスホールに嵌り込んで上下方向に係止することにより、接続部３１が垂直部分Ｃ１に保持されている。一方、水平部分Ｃ２には、連結部３３の両抜止片３６，３６と係止する一対の抜止リブ２５，２５が設けられている。両抜止片３６，３６と両抜止リブ２５，２５が前後方向に係止することにより、連結部３３の後方に連なるバレル部３２が水平部分Ｃ２に保持されている。
【００２９】
ハウジング２０の前面には、入力側コネクタ５１のロック突起５９と係止可能な係止突起２９を有するロックアーム２８が設けられている。両コネクタ１０，５１を嵌合させると、図１３に示すように、ロックアーム２８の係止突起２９がロック突起５９と嵌合方向（上下方向）に係止することにより、両コネクタ１０，５１が正規の嵌合状態に保持される。このとき、嵌合凹部５５の両奥面５５Ｌ，５５Ｕは、ハウジング２０の先端面とほぼ接触しており、このハウジング２０の先端面のうち下段側の奥面５５Ｌと嵌合方向（上下方向）に対向する面は下段側の先端面２０Ｌとされ、同ハウジング２０の先端面のうち下段側の奥面５５Ｌと嵌合方向（上下方向）に対向する面は、上段側の先端面２０Ｕとされている。また、嵌合凹部５５の段差面５５Ｃは、ハウジング２０の段差面２０Ｃとほぼ接触状態で嵌合方向と直交する方向（前後方向）に対向している。
【００３０】
隔壁２２は、図１５に示すように、下段側のキャビティＣに端子金具３０を収容する前の状態では、ヒンジ２３を介して端子収容部２１の側方に配されている。隔壁２２の周縁部には、複数の保持片２２Ａおよび保持突起２１Ａが設けられている。一方、下段側キャビティＣを構成する端子収容部２１には、複数の保持突起２１Ａおよび保持片２２Ａが設けられている。ヒンジ２３を中心として隔壁２２を端子収容部２１に組み付けると、各保持片２２Ａが各保持突起２１Ａにそれぞれ係止することにより、隔壁２２が端子収容部２１に保持され、下段側のキャビティＣが閉じられて、下段側キャビティＣの天井壁を形成するとともに上段側キャビティＣの底壁を形成する。
【００３１】
下段側のキャビティＣに収容された端子金具３０付き電線Ｗは、上段側のキャビティＣに収容された端子金具３０付き電線Ｗの下方でかつ後方に配置されている。このため、下段側の先端面２０Ｌは、上段側の先端面２０Ｕよりも下方に突出する形態とされ、両先端面２０Ｌ，２０Ｕが段差面２０Ｃを境界として上下二段に分割されている。なお、本発明におけるコネクタ側の嵌合面は、両先端面２０Ｌ，２０Ｕによって構成されている。
【００３２】
上段側のキャビティＣは、図４に示すように、上方に開口する形態とされており、この開口を塞ぐようにして後述するカバー４０が装着されるようになっている。上段側のキャビティＣは、前側の端子収容部２１（下段側キャビティＣの垂直部分Ｃ１に段差面２０Ｃを介して隣接する垂直部分Ｃ１）と、隔壁２２と、隔壁２２の両側縁から立ち上がる一対の保護壁２６とによって構成されている。端子収容部２１（前側の垂直部分Ｃ１）の上端開口縁は、両保護壁２６，２６の上端開口縁と上下方向に揃う高さとされており、かつ両保護壁２６，２６は上段側キャビティＣの水平部分Ｃ２の両側壁を形成する。
【００３３】
カバー４０は合成樹脂製であって、前後方向に長い平板状とされている。このカバー４０の周縁部には、複数のロック片４１が設けられている。一方、上段側のキャビティＣの上端開口縁部には、各ロック片４１に係止可能な複数のロック受け部２７が設けられている。各ロック片４１を各ロック受け部２７に対して上下方向に係止させると、カバー４０が端子収容部２１（前側の垂直部分Ｃ１）および両保護壁２６，２６に保持され、上段側のキャビティＣが閉じられる。なお、各ロック片４１のいずれか一つは、他のロック片４１と異なる形状とされ、このロック片４１の形状に対応してロック受け部２７が形成されているため、カバー４０の誤結防止が図られている。
【００３４】
図６に示すように、上段側の先端面２０Ｕには、入力側コネクタ５１の各ガイドリブ６２が嵌入可能な複数の案内凹部２１Ｂが開設されている。各案内凹部２１Ｂは、図９および図１０に示すように、上段側の先端面２０Ｕから上方に延び、端子収容部２１の上端開口縁部にほぼ至る形態とされている。
【００３５】
一方、下段側の先端面２０Ｌには、入力側コネクタ５１の各ガイド溝６３に嵌合可能な案内突部２１Ｃが設けられている。各案内突部２１Ｃは、下段側の先端面２０Ｌから上方に延びる形態であって、上段側の先端面２０Ｕの高さ位置と下段側のキャビティＣの屈曲部の高さ位置との中間位置に至る形態とされている。したがって、嵌合初期（下段側の先端面２０Ｌが嵌合凹部５５に嵌合してから上段側の先端面２０Ｕが嵌合凹部５５に嵌合するまでの間）においても、各案内突部２１Ｃが各ガイド溝６３に嵌合することで両コネクタ１０，５１の嵌合を案内することができる。
【００３６】
本実施形態は以上のような構成であって、続いてその作用を説明する。まず、電源側コネクタ１０の組み付け方法を説明する。図２に示すように、隔壁２２が端子収容部２１に組み付けられる前の状態において、下段側の端子金具３０を下段側のキャビティＣに上方から挿入する。すると、ランス２４が端子金具３０のランスホールに係止することにより、端子金具３０が下段側のキャビティＣに保持される。そして、ヒンジ２３を介して隔壁２２を端子収容部２１に組み付けると、図３に示すように、各保持片２２Ａが各保持突起２１Ａに係止することにより、隔壁２２が端子収容部２１に保持される。これにより、下段側のキャビティＣの上端開口は、隔壁２２によって閉じられる。
【００３７】
次に、上段側の端子金具３０を上段側のキャビティＣに上方から挿入する。すると、ランス２４が端子金具３０のランスホールに係止することにより、端子金具３０が上段側のキャビティＣに保持される。引き続き、カバー４０を端子収容部２１および両保護壁２６，２６に組み付けると、各ロック片４１が各ロック受け部２７に係止することにより、カバー４０が端子収容部２１および両保護壁２６，２６に保持される。これにより、上段側のキャビティＣの上端開口は、カバー４０によって閉じられる。
【００３８】
このとき、上下の両端子金具３０，３０は、隔壁２２によって隔離されているため、絶縁性が確保された状態となっている。また、一対の端子金具３０付き電線Ｗは、上下に積層して配置されているため、電源側コネクタ１０を左右方向に小型化することができるとともに、入力側コネクタ５１を左右方向に小型化することができる。また、各電線Ｗがいずれも後方に引き出されているため、これらの電線Ｗを一箇所に集約することができる。さらに、各端子金具３０の連結部３３を直角曲げするようにしているから、曲げＲを小さくすることができ、電源側コネクタ１０を上下方向および前後方向に小型化することができる。
【００３９】
こうして、電源側コネクタ１０の組み付けが完了した後、この電源側コネクタ１０を電気接続箱５０の入力側コネクタ５１に嵌合させる。ここで、電源側コネクタ１０が正規の嵌合姿勢であることを確認するにあたっては、電源側コネクタ１０の嵌合面の形状を確認することによって容易に行うことができる。すなわち、本実施形態においては、下段側の先端面２０Ｌが上段側の先端面２０Ｕよりも図示右側に位置していることを視認するだけで、正規の嵌合姿勢であることを容易に検知することができる。
【００４０】
仮に、電源側コネクタ１０と入力側コネクタ５１が誤った姿勢で嵌合が行われたとしても、互いの嵌合面の形状が整合しないため、途中まで嵌合を行ったところで互いの嵌合面が干渉し合って嵌合動作が停止され、誤嵌合であることを検知できる。一方、電源側コネクタ１０が入力側コネクタ５１に対して正規に嵌合されると、互いの嵌合面の形状が整合するため、互いの嵌合面が当接し合う位置まで嵌合動作が行われる。
【００４１】
電源側コネクタ１０は、下段側の先端面２０Ｌが上段側の先端面２０Ｕよりも下方に突出しているため、両コネクタ１０，５１の嵌合初期では、ハウジング２０の全周が嵌合凹部５５の全周に嵌合しないことになる。しかしながら、各案内突部２１Ｃが各ガイド溝６３に嵌合するため、両コネクタ１０，５１は、正規の嵌合姿勢に矯正される。その後は、各ガイドリブ６２が各案内凹部２１Ｂに嵌合するため、より安定した嵌合姿勢で両コネクタ１０，５１を嵌合させることができる。そして、両コネクタ１０，５１が正規の嵌合状態に至ると、ロックアーム２８の係止突起２９がロック孔５９Ａに嵌り込み、ロック突起５９に係止することにより、両コネクタ１０，５１が正規の嵌合状態に保持される。また、上下の両端子５６，５７は、両端子金具３０，３０に導通可能に接続される。
【００４２】
以上のように本実施形態によると、両コネクタ１０，５１の嵌合面を段差形状としたから、目視によって両コネクタ１０，５１の嵌合開始前に誤嵌合検知を行うことができる。また、電源側コネクタ１０に用いる端子として、同一形状の端子金具３０を使用しているから、部品の種類を削減することができる。
【００４３】
また、各端子金具３０付き電線Ｗを上下方向に積層して配置したから、両コネクタ１０，５１が左右方向に大型化することを回避できる。さらに、電線Ｗを曲げるのではなく、端子金具３０の連結部３３を曲げることで、電線Ｗを後方に引き出しているから、曲げＲを小さくすることができ、両コネクタ１０，５１の小型化に寄与している。
【００４４】
その上、各電線Ｗの引き出し方向を同一にしたから、電線Ｗの配索スペースを小型化することができる。これらに加えて、両コネクタ１０，５１の嵌合初期に、各案内突部２１Ｃ，２１Ｃが各ガイド溝６３，６３に嵌合するようにしているから、両コネクタ１０，５１の嵌合動作を案内し、両コネクタ１０，５１のこじりを防ぐことができる。
【００４５】
＜他の実施形態＞
本発明は上記記述及び図面によって説明した実施形態に限定されるものではなく、例えば次のような実施形態も本発明の技術的範囲に含まれる。
【００４７】
（５）上記実施形態では端子収容部２１と隔壁２２がヒンジ２３を介して連結されているものの、本発明によると、端子収容部２１と隔壁２２を別体で形成してもよい。
（６）上記実施形態では嵌合凹部５５の内部にガイド溝６３とは別にガイドリブ６２を設けているものの、本発明によると、ガイドリブ６２を設けることなく、ガイド溝６３だけで嵌合の案内を行ってもよい。
【符号の説明】
【００４８】
１０…電源側コネクタ
２０…ハウジング
２０Ｃ…段差面
２０Ｌ…下段側の先端面（嵌合面）
２０Ｕ…上段側の先端面（嵌合面）
２１Ｃ…案内突部（ガイド部）
２２…隔壁
２３…ヒンジ
３０…端子金具
３１…接続部
３２…バレル部
５１…入力側コネクタ（相手側コネクタ）
５５…嵌合凹部
５５Ｂ…左右両側の壁部（段差面に連なる側壁部）
５５Ｃ…段差面
５５Ｌ…下段側の奥面（嵌合面）
５５Ｕ…上段側の奥面（嵌合面）
６３…ガイド溝（ガイド部）
Ｃ…キャビティ
Ｗ…電線
【図１】
0005692598.tif 000002
【図２】
0005692598.tif 000003
【図３】
0005692598.tif 000004
【図４】
0005692598.tif 000005
【図５】
0005692598.tif 000006
【図６】
0005692598.tif 000007
【図７】
0005692598.tif 000008
【図８】
0005692598.tif 000009
【図９】
0005692598.tif 000010
【図１０】
0005692598.tif 000011
【図１１】
0005692598.tif 000012
【図１２】
0005692598.tif 000013
【図１３】
0005692598.tif 000014
【図１４】
0005692598.tif 000015
【図１５】
0005692598.tif 000016
【図１６】
0005692598.tif 000017
【図１７】
0005692598.tif 000018
【図１８】
0005692598.tif 000019
【図１９】
0005692598.tif 000020